(57)【要約】【課題】施工性に優れた罫書き治具を提供する。【解決手段】罫書き治具Ａは、板状部材の表面と木口面との隅角部に係止して用いるものであり、その係止のためのＬ字係止部材１２と、長手方向に伸縮可能に構成された第１及び第２スライド部材２０，３０とを備える。また、第１及び第２スライド部材２０，３０を所定の伸縮位置で固定するスライド固定部材６２，６２と、第１及び第２スライド部材２０，３０の端面と離間して対向する平板部材４２，５２を有する第１及び第２揺動部材４０，５０と、第１及び第２揺動部材４０，５０を所定の角度で揺動不能に固定する蝶ネジ６１，６１を備えている。【選択図】図１
2014227653.tif 000002
【特許請求の範囲】
【請求項１】
板状部材の表面と該表面に連続する木口面とに当接させて使用する罫書き治具であって、
前記板状部材の表面に当接する底面部と、該底面部の幅方向一端部から底面部と直角に延び、前記板状部材の木口面に当接する木口面当接部とを有し、長手方向に沿って直線状に伸縮可能に構成されたスライド体と、
前記スライド体の伸縮長さを所定の長さに固定保持するスライド固定部材と、
前記スライド体の長手方向両端部に前記底面部と平行な平面に沿って揺動可能に支持され、前記スライド体の長手方向端面と該端面から離隔した状態で対向する平面部を有する一対の揺動部材と、
前記一対の揺動部材をそれぞれ所定の角度で揺動不能に固定する一対の揺動固定部材とを備えている
ことを特徴とする罫書き治具。
【請求項２】
請求項１記載の罫書き治具において、
前記スライド体は、長手方向に延びる本体と、前記本体の長手方向の一側部にスライド可能に支持された第１スライド部材と、前記本体の長手方向の他側部にスライド可能に支持された第２スライド部材とを有し、
前記一対の揺動部材は、前記第１及び第２スライド部材において前記本体と反対側の外側端部にそれぞれ揺動可能に支持されている
ことを特徴とする罫書き治具。
【請求項３】
請求項１または２に記載の罫書き治具において、
前記各揺動部材は、
前記スライド体の長手方向両端部に前記底面部と平行な平面に沿って揺動可能に支持された揺動部材本体と、
前記揺動部材本体に前記底面部と直交する平面上に沿って揺動可能に支持され、前記平面部を構成する平板部材とを備えている
ことを特徴とする罫書き治具。
【請求項４】
請求項１または２に記載の罫書き治具において、
前記一対の揺動部材の少なくともいずれか一方の平面部には、永久磁石が設けられている
ことを特徴とする罫書き治具。
【請求項５】
請求項２記載の罫書き治具において、
前記本体の長手方向における前記第１スライド部材側に取り付けられた第１案内部と、
前記本体の長手方向における前記第２スライド部材側に取り付けられた第２案内部と、
一端が前記第１スライド部材において前記第１案内部よりも長手方向中央側に固定される一方、他端が前記第２スライド部材において前記第２案内部よりも長手方向中央側に固定され、中間部が前記第１案内部に巻き掛けられた第１スライドワイヤと、
一端が前記第２スライド部材において前記第２案内部よりも長手方向中央側に固定される一方、他端が前記第１スライド部材において前記第１案内部よりも長手方向中央側に固定され、中間部が前記第２案内部に巻き掛けられた第２スライドワイヤとを備えている
ことを特徴とする罫書き治具。
【請求項６】
請求項５記載の罫書き治具において、
前記第１及び第２案内部はプーリである
ことを特徴とする罫書き治具。
【請求項７】
請求項５記載の罫書き治具において、
前記第１スライドワイヤの一端と前記第２スライドワイヤの他端とが前記第１スライド部材に共締めされて固定され、前記第１スライドワイヤの他端と前記第２スライドワイヤの一端とが前記第２スライド部材に共締めされて固定されている
ことを特徴とする罫書き治具。
【発明の詳細な説明】
【技術分野】
【０００１】
本発明は、罫書き治具に関し、特に施工性に優れた罫書き治具に関する。
【背景技術】
【０００２】
一般に、住宅等の廊下、階段等の工事においては、各住宅によって使用する材料の長さや角度が異なるため、都度コンベックス（メジャー）や分度器で計測して、被加工材料に罫書きを行い、その罫書きに基づいて材料を加工することが行われている。
【０００３】
特許文献１では、回り階段側板等の採寸に使用するスライド定規に関する技術が開示されている。この特許文献１のスライド定規は、２つの略Ｌ字状のスライド定規の一方の腕同士をスライド可能に嵌合させ、これら両腕をスライドさせて所定の寸法に調整後、これら両腕を係止手段によって固定して使用するものである。これにより、罫書きの施工性を向上させることができる。
【先行技術文献】
【特許文献】
【０００４】
【特許文献１】特開平２−２６９２６６号公報
【発明の概要】
【発明が解決しようとする課題】
【０００５】
しかしながら、長寸と角度との両方についての罫書きが必要な場合、例えば回り階段の踏板やその踏板に設けられたスリップ止め用のノンスリップ等の罫書きを行うような場合、特許文献１に記載されたような罫書き治具は、長寸の罫書きに対するスライド調整しかできないため、上記のスライド定規に加えて、別途分度器等を用いた角度計測及び罫書きを必要とする。したがって、計測器が複数種必要であり、また罫書き寸法のずれも生じやすい。したがって、施工性が悪くかつ時間も掛かってしまうという課題がある。
【０００６】
本発明は斯かる諸点に鑑みてなされたものであり、その主な目的は、罫書き治具の構造に工夫を凝らすことにより、施工性に優れた罫書き治具を提供することにある。
【課題を解決するための手段】
【０００７】
上記の目的を達成するために、この発明では、長手方向に伸縮可能に構成されたスライド体と、スライド体の長手方向両端部に揺動可能に支持された揺動部材とを設け、スライド体及び揺動部材を所定のスライド位置及び角度で固定できるようにした。
【０００８】
具体的には、本発明の第１態様では、板状部材の表面と該表面に連続する木口面とに当接させて使用する罫書き治具であって、板状部材の表面に当接する底面部と、底面部の幅方向一端部から底面部と直角に延び、板状部材の木口面に当接する木口面当接部とを有し、長手方向に沿って直線状に伸縮可能に構成されたスライド体と、スライド体の伸縮長さを所定の長さに固定保持するスライド固定部材と、スライド体の長手方向両端部に底面部と平行な平面に沿って揺動可能に支持され、スライド体の長手方向端面と該端面から離隔した状態で対向する平面部を有する一対の揺動部材と、一対の揺動部材をそれぞれ所定の角度で揺動不能に固定する一対の揺動固定部材とを備えている。
【０００９】
この態様によると、スライド体と揺動部材とを設けたため、スライド体による長手方向の長さの調節とあわせて、揺動部材による角度の調節ができる。これにより、例えば回り階段の踏板のように、罫書き対象の長さと角度がそれぞれ異なるような罫書き対象に対しても、本開示に係る罫書き治具１つのみを用いて長さと角度の罫書きをすることができる。このとき、揺動部材は平面部を有しているため、例えば回り階段の側壁にこの平面部を当接させて罫書きをすることができる。また、罫書き治具の長さと角度の調節をした後に、平板部に沿って板状部材への罫書きを実施することにより、容易に罫書きを実施することができる。さらに、スライド体の底面部と木口面当接部とがそれぞれ板状部材の表面と木口面とに当接して両者の隅角部に係止可能に構成されているため、板状部材に係止した状態で罫書き治具長さと角度を調節して固定し罫書きをすることができる。これにより、罫書きの際に罫書き治具が前後左右にぶれることを防止することができるため、容易にかつ採寸ずれのない確実な罫書きを実施することができる。
【００１０】
本発明の第２態様では、第１態様記載の罫書き治具において、スライド体は、長手方向に延びる本体と、本体の長手方向の一側部にスライド可能に支持された第１スライド部材と、本体の長手方向の他側部にスライド可能に支持された第２スライド部材とを有し、一対の揺動部材は、第１及び第２スライド部材において本体と反対側の外側端部にそれぞれ揺動可能に支持されている。
【００１１】
この態様によると、第１及び第２スライド部材と一対の揺動部材とを設けたため、第１及び第２スライド部材の少なくともいずれか一方による長手方向の長さの調節とあわせて、各揺動部材による角度の調節ができる。これにより、例えば回り階段の踏板のように、罫書き対象の長さと角度がそれぞれ異なるような罫書き対象に対しても、本開示に係る罫書き治具１つのみを用いて長さと角度の罫書きをすることができる。また、第１スライド部材と第２スライド部材とを別々にスライドさせることができるため、例えば本体を板状部材の中央付近に係止した後に、罫書き治具の長手方向の一端側と他端側とで別々に長さや角度を調節することができる。
【００１２】
本発明の第３態様では、第１または第２態様記載の罫書き治具において、各揺動部材は、スライド体の長手方向両端部に底面部と平行な平面に沿って揺動可能に支持された揺動部材本体と、揺動部材本体に底面部と直交する平面上に沿って揺動可能に支持され、平面部を構成する平板部材とを備えている。
【００１３】
この態様によると、各揺動部材の平面部を構成する平板部材が底面部と直交する平面上に沿って揺動可能に支持されている。これにより、長手方向の長さの調節及び角度の調節をした後に、平板部材を回動させて、例えば回り階段の踏板の罫書きに加えて、回り階段の側壁に対しても、所望の角度での罫書きを実施することができる。
【００１４】
本発明の第４態様では、第１または第２態様記載の罫書き治具において、一対の揺動部材の少なくともいずれか一方の平面部には、永久磁石が設けられている。
【００１５】
この態様によると、揺動部材の平面部に永久磁石が設けられているため、作業者は、罫書き治具の長手方向の長さや角度を調節した後に、例えば金属製のＬ字定規等を磁石に吸着させて、他の部材（例えば回り階段の踏板の罫書きに加えて、回り階段の側壁や蹴込み板）に対しても罫書きをすることができる。
【００１６】
本発明の第５態様では、第２態様記載の罫書き治具において、本体の長手方向における第１スライド部材側に取り付けられた第１案内部と、本体の長手方向における前記第２スライド部材側に取り付けられた第２案内部と、一端が第１スライド部材において第１案内部よりも長手方向中央側に固定される一方、他端が第２スライド部材において第２案内部よりも長手方向中央側に固定され、中間部が第１案内部に巻き掛けられた第１スライドワイヤと、一端が第２スライド部材において第２案内部よりも長手方向中央側に固定される一方、他端が第１スライド部材において第１案内部よりも長手方向中央側に固定され、中間部が第２案内部に巻き掛けられた第２スライドワイヤとを備えている。
【００１７】
この態様によると、第１及び第２スライドワイヤがそれぞれ第１及び第２案内部に案内されて長さ方向に移動することによって、第１スライド部材と第２スライド部材は、長手方向に連動してスライドする。具体的には、第１及び第２スライド部材のいずれか一方をスライドさせることによって、他方も連動してスライドする。そのため、両スライド部材が連動しない場合と比較して操作性が高くなる。また、第１及び第２スライド部材に対して、スライド固定部材は１つ設けるだけでも、両スライド部材をスライド不能に固定することができる。
【００１８】
本発明の第６態様では、第５態様記載の罫書き治具において、第１及び第２案内部はプーリである。
【００１９】
この態様によると、プーリに第１及び第２スライドワイヤが巻き掛けられているため、第１及び第２スライド部材のスムーズなスライドを実現することができる。
【００２０】
本発明の第７態様では、第５態様記載の罫書き治具において、第１スライドワイヤの一端と第２スライドワイヤの他端とが第１スライド部材に共締めされて固定され、第１スライドワイヤの他端と第２スライドワイヤの一端とが第２スライド部材に共締めされて固定されている。
【００２１】
この態様によると、第１スライドワイヤの一端と第２スライドワイヤの他端、及び第１スライドワイヤの他端と第２スライドワイヤの一端がそれぞれ共締めされて固定されているため、第１及び第２スライドワイヤの固定構造を簡素化できるとともに、第１及び第２スライドワイヤがスライド動作において絡まる恐れがない。
【発明の効果】
【００２２】
本発明によると、スライド体による長手方向の長さの調節とあわせて、揺動部材による角度の調節ができるため、施工性に優れた罫書き治具を提供することができる。
【図面の簡単な説明】
【００２３】
【図１】実施形態に係る罫書き治具を示す斜視図である。
【図２】（ａ）はスライド体における本体の側面図、（ｂ）は同平面図である。
【図３】（ａ）は第１スライド部材の側面図、（ｂ）は同平面図、（ｃ）は第１揺動部材及びスライド固定部材を併せて示す同正面図であり、（ｄ）は第２スライド部材の側面図である。
【図４】（ａ）は第１揺動部材の側面図、（ｂ）は同平面図、（ｃ）は同正面図であり、（ｄ）は第１揺動部材の平板部材の動作を示す斜視図である。
【図５】第１及び第２スライドワイヤのレイアウトを例示する平面図である。
【図６】第１及び第２スライドワイヤの取り付け構造例を示す斜視図である。
【図７】実施形態に係る罫書き治具の平面図であり、（ａ）は第１及び第２スライド部材が収縮した状態を示し、（ｂ）は同部材が伸長した状態を示す。
【図８】罫書き治具を用いた罫書きの使用例を説明するための図である。
【図９】その他の実施形態に係る罫書き治具の平面図であり、（ａ）は第１スライド部材が収縮した状態を示し、（ｂ）は同部材が伸長した状態を示す。
【発明を実施するための形態】
【００２４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２５】
図１〜図７は、実施形態に係る罫書き治具Ａを示し、この罫書き治具Ａは、図２に示すように、板状部材９０等の表面９１とその表面９１に連続する木口面９２とに当接させて使用する。
【００２６】
罫書き治具Ａは、図１及び図２に示すように、長手方向に沿って直線状に伸縮可能なスライド体Ｃを有する。具体的には、このスライド体Ｃは、長手方向に延びるように形成され、表面側の幅方向中央に所定の幅で長手方向全長にわたって開口するスリット１１ｄを有する断面略コ字状の本体１０と、本体１０の長手方向の一側部（左側部）内にスライド可能に嵌挿支持された第１スライド部材２０と、本体１０の長手方向の他側部（右側部）にスライド可能に嵌挿支持された第２スライド部材３０とを備えている。
【００２７】
第１スライド部材２０において本体１０と反対側にある左端部（外端部）の表面には、後述するＬ字係止部材１２の底面部１２ａと平行な平面に沿って揺動可能に軸支された第１揺動部材４０が設けられている。また、第２スライド部材３０の同様の右端部（外端部）の表面には、同様の平面に沿って揺動可能に軸支された第２揺動部材５０が設けられている。
【００２８】
本体１０は、本体ベース部材１１と、本体ベース部材１１の下側に一体的に固定された断面Ｌ字形状のＬ字係止部材１２とを有する。
【００２９】
なお、本実施形態の説明において、「下」とはＬ字係止部材１２側を、「上」とは本体１０表面に形成されたスリット１１ｄ側をそれぞれ指すものとする。また、「左」とは第１スライド部材２０側を、「右」とは第２スライド部材３０側をそれぞれ指すものとする。
【００３０】
本体ベース部材１１は、長手方向に延びる矩形板状の本体底板１１ａと、本体底板１１ａの幅方向両端部から上側に起立するように一体形成された矩形板状の本体側板１１ｂ，１１ｂと、各本体側板１１ｂの上端から幅方向内側に延びるように一体形成され、各々の間にスリット１１ｄを形成する本体上板１１ｃ，１１ｃとを有する。
【００３１】
Ｌ字係止部材１２は、本体底板１１ａと略同じ形状で本体底板１１ａの下面に一体的に固定され、かつ板状部材９０の表面９１に当接する矩形板状の底面部１２ａと、底面部１２ａの幅方向一端部に下方に延びるように折り曲げられて接続され、板状部材９０の木口面９２に当接する木口面当接部１２ｂとを有する。このように底面部１２ａを板状部材９０の表面９１に、また木口面当接部１２ｂを木口面９２にそれぞれ当接させることで、Ｌ字係止部材１２（スライド体Ｃ）が表面９１と木口面９２との隅角部に係止される。本体ベース部材１１及びＬ字係止部材１２は、例えばスチールやアルミ等の金属、樹脂、紙等で形成される。なお、Ｌ字係止部材１２の底面部１２ａないし木口面当接部１２ｂには板状部材との当接部分に、図２に示すように、滑り防止や板状部材の傷防止のためにゴムや樹脂等で形成された板状の緩衝材１３が一体的に設けられていてもよい。
【００３２】
第１スライド部材２０は、図３（ａ），（ｂ）に示すように、長さが本体１０の半分よりも短く、かつ幅が本体側板１１ｂ，１１ｂの内径も若干短い板状のスライド上板２０ａと、スライド上板２０ａの幅方向両端部から下側に延びるように一体形成され、本体側板１１ｂの高さよりも若干低い矩形板状のスライド側板２０ｂ，２０ｂとを有する断面略コ字状のものである。このような構成とすることにより、第１スライド部材２０の長手方向右側の端部は、本体１０の左側端部から挿入可能であり、挿入された状態で本体１０の左端部においてスライド可能に支持される。
【００３３】
第１スライド部材２０の左端部寄りの幅方向中央における表面には上側に突出する揺動軸ボルト２１が、右端部（内端部）寄りの幅方向中央における表面には上側に突出してスライド固定部材６２を取り付けるための取付ボルト２２がそれぞれ一体的に溶接されて固定されている。また、第１スライド部材２０の右端部寄りにおいて幅方向中央から一側にずれた部位には、スリット１１ｄに連通するネジ挿通孔２３が形成されている。ネジ挿通孔２３には、上側からスリット１１ｄを介して、第１及び第２スライドワイヤ７１，７２の各一端を固定するための第１ワイヤ固定ネジ６３が挿通される。
【００３４】
第２スライド部材３０は、図３（ｄ）に示すように、第１スライド部材２０と同様な形状のスライド上板３０ａと、スライド側板（図示しない）とを有する。また、第２スライド部材３０の右端部寄りの幅方向中央における表面には上側に突出して揺動軸ボルト３１が、左端部（内端部）寄りの幅方向中央における表面には上側に突出するスライド固定部材６２を取り付けるための取付ボルト３２がそれぞれ一体的に固定されている。このような構成とすることにより、第２スライド部材３０の長手方向左側の端部は、本体１０の右側端部から挿入可能であり、本体１０の右端部においてスライド可能に支持される。また、第２スライド部材３０の左端部寄りにおいて幅方向中央から上記ネジ挿通孔２３と反対側にずれた部位には、スリット１１ｄに連通するネジ挿通孔３３が形成されている。ネジ挿通孔３３には、上側からスリット１１ｄを介して、第１及び第２スライドワイヤ７１，７２の各一端を固定するための第２ワイヤ固定ネジ６４が挿通される。
【００３５】
スライド固定部材６２は、図３（ｃ）に示すように、外周に指で操作する時に指が滑らないように滑り止め部が形成され、取付ボルト２２，３２に螺合される化粧ネジ６２ａと、外径が本体１０のスリット１１ｄの開口幅よりも大きく、中心に取付ボルト２２，３２の挿通孔を有する円板状の係止ワッシャー６２ｂと、外径が本体１０のスリット１１ｄの開口幅よりも小さく、厚さが本体上板１１ｃと略同じであり、中心に取付ボルト２２，３２の挿通孔を有する２つの円板状のワッシャー６２ｃ，６２ｃとを有する。第１スライド部材２０へのスライド固定部材６２の取り付け方法について具体的に説明すると、まず、２つのワッシャー６２ｃ，６２ｃ間に係止ワッシャー６２ｂを挟んだ状態でこれらを取付ボルト２２に挿通する。次に、その上から化粧ネジ６２ａが螺合されて締め付けられることによって、スライド固定部材６２は第１スライド部材２０に取り付け固定される。化粧ネジ６２ａが螺合されて締め付けられた場合には、第１スライド部材２０のスライド上板２０ａと係止ワッシャー６２ｂとの間に本体ベース部材１１の両本体上板１１ｃ，１１ｃを挟み込むことで、その第１スライド部材２０のスライド動作は規制されて固定される。一方で、化粧ネジ６２ａの締め付けを緩めた場合には、第１スライド部材２０がスライド可能になる。係止ワッシャー６２ｂ及びワッシャー６２ｃは、例えば樹脂や金属等で形成される。なお、第２スライド部材３０へのスライド固定部材６２の取り付けも第１スライド部材２０へのスライド固定部材６２の取り付けと同様である。
【００３６】
第１揺動部材４０は、図３（ｃ）及び図４に示すように、平面視で三角形状でありかつその１つの角部である基部で第１スライド部材２０に揺動可能に支持された揺動部材本体４１の先端部（三角形状の残りの２つの角部を結ぶ辺部）には下側に直角に折り曲げられた支持部４１ａが形成され、この支持部４１ａの長さ方向中央部には、第１スライド部材２０の左側端面と該左側端面から離隔して対向する平面部としての平板部材４２がＬ字係止部材１２の底面部１２ａと直交する平面に沿って揺動可能に支持されている。揺動部材本体４１は、その基部つまり第１スライド部材２０への装着状態における右端の頂点寄りの部位に揺動軸ボルト２１を挿通するボルト挿通孔４１ｂを有する。第１スライド部材２０への第１揺動部材４０の取り付け方法について図３（ｃ）により具体的に説明すると、２つのワッシャー６１ａ，６１ａ間に揺動部材本体４１をワッシャー６１ａ，６１ａの取付孔とボルト挿通孔４１ｂとが連通するように挟んだ状態で、これらに揺動軸ボルト２１を挿通する。次に、上側のワッシャー６１ａから突出した揺動軸ボルト２１の先端部に揺動固定部材としての蝶ネジ６１を螺合させて締め付けることによって、第１揺動部材４０は第１スライド部材２０に取り付けられる。なお、第２揺動部材５０も第１揺動部材４０と同様の構成であり、蝶ネジ６１を螺合させて締め付けることによって、第２スライド部材３０に取り付けられる。
【００３７】
平板部材４２において揺動部材本体４１の支持部４１ａと反対側の外側には、長さ方向の中央から左右両側において、長さ方向に並べられた各２個の円柱状の永久磁石４３が、外表面と面一になるように平板部材４２に形成した凹部（図示せず）内に嵌め込まれて一体的に固定されている。また、平板部材４２の長さ方向中央には、厚さ方向に貫通する貫通孔が形成され、この貫通孔には平板部材４２をその表面と同一平面に沿って揺動可能に揺動部材本体４１の支持部４１ａに支持する支持部材４２ａが外端部を平板部材４２の外表面と面一にして嵌め込まれている。具体的には、支持部材４２ａは貫通孔を貫通して揺動部材本体４１の支持部４１ａに対して固定されており、平板部材４２は支持部材４２ａを揺動軸として揺動する（図４（ｄ））。永久磁石４３としては、例えばネオジウム等を用いることができる。
【００３８】
図５に示すように、本体１０における本体底板１１ａの左外側の表面（上面）には第１案内部としての第１プーリ７３が、また右外側の表面（上面）には第２案内部としての第２プーリ７４がそれぞれ上下方向の回転軸心をもって回転可能に取付固定されている。第１及び第２プーリ７３，７４の外周面には、厚さ方向の中央を断面Ｖ字形状に切り欠いたＶ溝（図示せず）が形成されている。
【００３９】
第１プーリ７３（Ｖ溝）には、第１スライドワイヤ７１の中間部が巻き掛けられ、この第１スライドワイヤ７１の一端は、第１スライド部材２０のネジ挿通孔２３に挿入された第１ワイヤ固定ネジ６３によって固定され、他端は、第２スライド部材３０のネジ挿通孔３３に挿入された第２ワイヤ固定ネジ６４によって固定されている。同様に、第２プーリ７４（Ｖ溝）には、一端が上記第１ワイヤ固定ネジ６３によって固定され、かつ他端が第２ワイヤ固定ネジ６４によって固定された第２スライドワイヤ７２が中間部にて巻き掛けられている。具体的には、第１及び第２スライドワイヤ７１，７２それぞれの一端には、取付孔（図示せず）を有する取付部材７１ａ，７１ｂが固定されており、図６に示すように、第１ワイヤ固定ネジ６３に第１及び第２スライドワイヤ７１，７２の取付部材７１ａ，７１ｂが、第１ワイヤ固定ネジ６３とボルト６３ａとによって共締めされて固定されている。この共締めは、例えば本体底板１１ａに形成された取付作業用の貫通孔１１ｅを介して行う。図示しないが、第１及び第２スライドワイヤ７１，７２の両他端も同様にして、第２ワイヤ固定ネジ６４とボルト（図示しない）とによって共締めされて固定されている。
【００４０】
［罫書き治具の動作］
次に、図７に基づいて、罫書き治具Ａの動作について説明する。
【００４１】
まず、両化粧ネジ６２ａ，６２ａの締め付けを緩めると、第１及び第２スライド部材２０，３０はスライド可能になる。具体的には、両化粧ネジ６２ａ，６２ａのネジを緩めて第１及び第２スライド部材２０，３０を長手方向にスライド操作することにより、罫書き治具Ａの長さを可変することができる。図７（ａ）は上記のスライド動作によって罫書き治具Ａの長さを短くした場合を、また図７（ｂ）は長くした場合をそれぞれ示している。罫書き治具Ａを所望の長さにした後は、両側の化粧ネジ６２ａ，６２ａのうちの少なくともいずれか一方を締め付けることによって、第１及び第２スライド部材２０，３０をスライド動作不能に固定することができる。
【００４２】
ここで、本実施形態のような構造にすることにより、スライド動作を容易にすることができる。具体的には、第１及び第２プーリ７３，７４に第１及び第２スライドワイヤ７１，７２を巻き掛けた構造にしているため、例えば第１スライド部材２０を左側にスライドさせると第２スライドワイヤ７１を介して第２スライド部材３０には右側に引く力が与えられる。これにより、第２スライド部材３０は第１スライド部材に連動してスライドする。第２スライド部材２０をスライドさせた場合も上記と同様に第１スライド部材２０が連動してスライドする。すなわち、第１及び第２スライド部材２０，３０のいずれか一方をスライドさせることによって、他方も第１ないし第２スライドワイヤ７１，７２を介して連動してスライドする。また、第１及び第２プーリ７３，７４に第１及び第２スライドワイヤ７１，７２を巻き掛けた構造にしているため、いずれか片方をロックすることにより、第１及び第２スライド部材２０，３０を両方同時にスライド動作不能に固定することができる。そのため、両スライド部材が連動しない場合と比較して操作性が高くなるとともに、第１及び第２スライド部材２０，３０のスライド操作をスムーズにさせることができる。
【００４３】
次に、両蝶ネジ６１，６１を緩めると、第１及び第２揺動部材４０，５０は揺動可能になる。これにより、例えば罫書き場所の側面が第１及び第２スライド部材２０，３０の長手方向外側の端部と直角ではない場合においても、第１及び第２揺動部材４０，５０を回動させることによって、平板部材４２，５２の外側の表面を罫書き場所の側面に当接させることができる。第１及び第２揺動部材４０，５０を所望の角度に回動させた後は、それぞれに蝶ネジ６１，６１を締め付けることによって、第１及び第２揺動部材４０，５０を揺動不能に固定することができる。
【００４４】
［回り階段の罫書き］
次に、図８を用いて、罫書き治具Ａを用いた回り階段の罫書きについて説明する。図８に示すように、回り階段８３は複数の踏板８３ａ〜８３ｅを有し、各踏板８３ａ〜８３ｅ上面の蹴込み板側（以下前側ともいう）の隅角部には、滑り止めのためのノンスリップ８４が設けられるものとする。本実施形態では、ある踏板８３ｃの前側の隅角部にノンスリップ８４を貼りつける場合における罫書きについて説明する。
【００４５】
まず、作業者は、踏板８３ｃの前側の隅角部に罫書き治具ＡをＬ字係止部材１２（緩衝材１３）が当接するように係止させる。
【００４６】
その後、作業者は、両固定部材６２，６２の化粧ネジ６２ａ，６２ａを緩め、両化粧ネジ６２ａ，６２ａを把持して長手方向にスライド操作することによって、第１及び第２スライド部材２０，３０を長手方向にスライドさせる。このとき、両蝶ネジ６１，６１はあらかじめ緩めておく。これにより、回り階段８３の左右の側壁８１，８２と踏板８３ｃとの角度に応じて第１及び第２揺動部材４０，５０を揺動させつつ、第１及び第２スライド部材２０，３０を長手方向にスライドさせることができる。
【００４７】
第１及び第２スライド部材２０，３０の長手方向へのスライド動作によって、第１及び第２揺動部材４０，５０の平板部材４２，５２がそれぞれ左右の側壁８１，８２と当接した後、左右の固定部材６２，６２の化粧ネジ６２ａ，６２ａのうちのいずれか一方及び左右の蝶ネジ６１，６１を締め付ける。これにより、罫書き治具Ａは、踏板８３ｃの前側の隅角部の形状と略同じ幅と角度で固定された状態となる。
【００４８】
その後、作業者は、罫書き治具Ａを取り外し、その固定された罫書き治具Ａを、別途用意したノンスリップ用の基材（図示せず）上に置いて、その基材に対して、踏板８３ｃの前側の隅角部に設けるノンスリップの形状に応じた罫書きを行い、その罫書きどおりに基材をカットしてノンスリップ８４を得る。
【００４９】
これにより、罫書き治具Ａ自体を用いてノンスリップの長さ及び角度の採寸をすることができるので、実際の踏板のサイズに応じたノンスリップを罫書きすることができ、優れた施工性を得ることができる。
【００５０】
なお、作業者は、罫書き治具Ａが踏板８３ｃの前側の隅角部の形状と略同じ幅と角度で固定された状態において、第１揺動部材４０の支持部４１ａの内表面（第１スライド部材２０の左端面と対向する表面）において金属製のＬ字定規等を永久磁石４３に吸着させることによって、他の部材（例えば回り階段の側壁や蹴込み板）に対して罫書きをすることができる。
【００５１】
また、上記の実施形態において、罫書き治具Ａを係止させる前（回り階段の罫書きを始める前）から第１揺動部材４０の平板部材４２の左側表面において金属製のＬ字定規等を永久磁石４３に吸着させておいてもかまわない。これにより、ノンステップ等の計測とあわせて、他の部材（例えば回り階段の側壁や蹴込み板）に対して罫書きをすることができる。
【００５２】
［その他の実施形態］
以上、本発明を好ましい実施形態により説明してきたが、種々の改変が可能である。
【００５３】
例えば、図９に示すように、上記の実施形態に係る罫書き治具Ａから第２スライド部材３０を省いた構造とし、本体１０の長手方向の右端に矩形板状の矩形支持部材８０が一体形成され、矩形支持部材８０の外端寄りの表面に第２揺動部材５０が長手方向において揺動可能に軸支されていてもよい。
【００５４】
また、上記の実施形態において、スライド固定部材６２は第１及び第２スライド部材２０，３０のそれぞれに対して各１つ、計２つ設けられているものとしたが、いずれか一方にのみ設けてもかまわない。
【００５５】
また、上記の実施形態において、第１及び第２スライドワイヤ７１，７２を省いてもかまわない。これにより、第１スライド部材２０と第２スライド部材３０とを別々にスライドさせることができるようになるため、例えば本体１０を板状部材の中央付近に係止した後に、罫書き治具Ａの長手方向の一端側と他端側とで別々に長さや角度を調節することができる。
【００５６】
また、上記の実施形態において、平板部材４２には、支持部４１ａと離れた外側に４つの円柱状の永久磁石４３が嵌め込まれているものとしたが、これに限られるものではない。永久磁石の数は４つ以上であっても４つ以下でもかまわない。また、平板の永久磁石を用いてもかまわないし、平板部材全体を永久磁石で形成してもよい。また、支持部４１ａと近接する側に永久磁石を嵌め込んでもかまわない。
【００５７】
また、上記の実施形態において、平面部材４２に永久磁石４３を設けなくてもかまわない。ただし、金属製のＬ字定規等を吸着させて他の部材（例えば回り階段の回り階段の側壁や蹴込み板）に対しても罫書きをすることができる点で永久磁石があるのが好ましい。
【００５８】
また、上記の実施形態において、平板部材４２を設けずに、揺動部材本体４１の支持部４１ａを平面部としてもよい。ただし、平板部材を回動させて、例えば側壁等に対しても所望の角度での罫書きを実施できる点で平板部材があるのが好ましい。
【００５９】
また、本体１０の本体上板１１ｃや第１及び第２スライド部材２０，３０のスライド上板２０ａ，３０ａに目盛を付してもよい。
【００６０】
また、第１及び第２スライド部材２０，３０は断面Ｕ字形状であるものとしたが、断面矩形状の部材で形成してもかまわない。
【産業上の利用可能性】
【００６１】
本発明は、罫書き治具自体を用いて罫書き対象となる板状部材の実際のサイズに応じた計測（採寸）ができるため、優れた施工性を得ることができる。また、回り階段の踏板やノンスリップのように個別に異なる長さと角度を有する部材に対しても利用可能であるので、極めて産業上の利用可能性が高い。
【符号の説明】
【００６２】
Ａ，Ｂ  罫書き治具
Ｃ  スライド体
１０  本体
１２ａ  底面部
１２ｂ  木口面当接部
２０  第１スライド部材
３０  第２スライド部材
４０  第１揺動部材（揺動部材）
４１  揺動部材本体
４２，５２  平板部材（平面部）
４３  永久磁石
５０  第２揺動部材（揺動部材）
６１  蝶ネジ（揺動固定部材）
６２  スライド固定部材
７１  第１スライドワイヤ
７２  第２スライドワイヤ
７３  第１プーリ（第１案内部）
７４  第２プーリ（第２案内部）
８３ａ，８３ｂ，８３ｃ，８３ｄ，８３ｅ  踏板（板状部材）
９０  板状部材
９１  表面
９２  木口面
【図１】
2014227653.tif 000003
【図２】
2014227653.tif 000004
【図３】
2014227653.tif 000005
【図４】
2014227653.tif 000006
【図５】
2014227653.tif 000007
【図６】
2014227653.tif 000008
【図７】
2014227653.tif 000009
【図８】
2014227653.tif 000010
【図９】
2014227653.tif 000011